(57)【要約】【課題】  雑草類を刈払うときに草や蔓等の巻付きを防止する巻付き防止シート及び該巻込防止シートを貼着した刈払機用チップソーを提供する【解決手段】  略円盤状の基板の外周部に複数の刈刃が形成された刈払機用チップソーに装着される巻き込み防止シートであって、該巻き込み防止シートは、合成樹脂製でドーナツ状に形成されており、前記基板の刈刃と中心穴を除く円周部に貼着される。また、前記巻込防止シートの貼着面には、接着剤が設けられている。【選択図】          図３
2014000050.tif 000002
【特許請求の範囲】
【請求項１】
略円盤状の基板の外周部に複数の刈刃が形成された刈払機用チップソーに装着される巻き込み防止シートであって、該巻き込み防止シートは、合成樹脂製でドーナツ状に形成されており、前記基板の刈刃と中心穴を除く円周部に貼着されることを特徴とする巻込防止シート。
【請求項２】
前記巻込防止シートの貼着面には、接着剤が設けられていることを特徴とする請求項１に記載の巻込防止シート。
【請求項３】
前記巻込防止シートが、前記基板の刈刃と中心穴を除く円周部に貼着されていることを特徴とする、請求項１に記載の刈払機用チップソー。
【発明の詳細な説明】
【技術分野】
【０００１】
本発明は、雑草類を刈払うときに草や蔓等の巻付きを防止する巻付き防止シート及び該巻込防止シートを貼着した刈払機用チップソーに関するものである。
【背景技術】
【０００２】
従来、作業者が携行して地面の雑草類を刈り取るために刈払機が使用されている。この刈払機は、エンジン又はモータの動力源からの回転を長尺筒状の操作杆に軸通された回転軸を介してチップソーに伝え、作業者が前記操作杆を左右方向に振り動かしてチップソーで地面の雑草類を刈取るものである。
【０００３】
刈払機を用いた刈払作業は手軽で効率的であるが、その反面、騒音、操作性及び雑草等の巻付きなど、様々な問題が生じている。刈払作業で生じる騒音は、エンジン音、回転するチップソーの摩擦音及び切断抵抗音があり、特に騒音レベルが高いのは、チップソーが小石等の硬質異物に衝突するときの金属打撃音である。
【０００４】
刈払作業における操作性では、チップソー自体が金属製で重いため、作業者が前記操作杆を左右方向に振り動かして持続的に刈払作業を行なうことは、相当な体力を必要とするものである。また、雑草がチップソー及び操作杆先端部の回転軸へ巻付くことで、チップソーの回転停止や動力源への過負荷が生じ、刈払作業の一時停止を余儀なくされていた。
【０００５】
これらの問題を解決するために様々な工夫がなされている。例えば、チップソーの軽量化と騒音低減を目的として合成樹脂製刈刃が開示されている（特許文献１参照。）。また、軽量化が図れ、且つ、耐久性が得られる丸鋸チップソーが開示されている（特許文献２参照。）。さらに、回転軸及びチップソーに草や蔓が巻込むことを抑制する巻付き防止部材が開示されている（特許文献３参照。）。
【先行技術文献】
【特許文献】
【０００６】
【特許文献１】特公平６−１２号公報
【特許文献２】特開平７−２７６３０５号公報
【特許文献３】特開２００５−１１８００３号公報
【発明の概要】
【発明が解決しようとする課題】
【０００７】
特許文献１の合成樹脂製刈刃は、刈刃全体と刃部とを均一の厚さの合成樹脂製とし、板材を所定の形状にて打ち抜き形成すると共に、各刃部の形状を刈刃の表面部または裏面部に対し直角状に形成し、一側面より研磨して尖状にしないことを特徴としている。したがって、この合成樹脂製刈刃は軽量化は図れるものの、耐久性及び切れ味において劣るという問題点があった。
【０００８】
特許文献２の丸鋸チップソーは、鋼板によって形成された円盤状の台金と、この台金の外周部に形成された刃部にロウ付け固定されたチップとを具備する丸鋸チップソーであり、台金の刃部より内側部分に開口部を設け、この開口部に射出成形や高周波の誘導加熱を利用して樹脂を埋め込んだものである。ところが、前記円盤状の台金は薄厚であるため、樹脂を台金と同じ厚さで開口部に充填しても、刈払作業中の振動や石等との衝突により脱落する。そのため、前記台金よりも数倍の肉厚で開口部を包み込むように充填しなければ強度を維持することがでない。そのため、前記丸鋸チップソーの円周表面は交互に形成された凹凸により騒音が増加し、製造工程も複雑なものとなっていた。
【０００９】
特許文献３に記載の巻付き防止部材は、丸鋸と上部丸鋸挟持部材との間に挟持するものである。この巻付防止部材には、巻付き防止刃及び立ち刃が巻付防止部材の基板部から外向きに張出して形成されており、基板部の外周縁上に交互に配置されている。また、巻付防止刃は、基板部の外周縁に形成された平面視台形形状の突片の基端部を斜め上方へ折り曲げると共に、該突片の中間部を斜め下方へ折り曲げることにより形成されている。しかしながら、この巻付防止部材を使用しても、丸鋸表面に設けられた貫通穴や巻付防止部材と丸鋸表面で形成される三角状部に草等が詰まるという問題点があった。
【課題を解決するための手段】
【００１０】
本発明はこれら課題を解決するために成されたものであり、本発明の請求項１にかかる巻込防止シートは、略円盤状の基板の外周部に超硬チップの切刃が全周にわたって設けられた刈払機用チップソーに貼着される巻込防止シートである。該巻込防止シートは、合成樹脂シートを用いてドーナツ状に形成されており、前記基板の刈刃と中心穴を除く円周部に貼着されることを特徴としている。
【００１１】
殆どの刈払機用チップソーは、図３に示すように、軽量化を図るために前記基板の刈刃と中心穴を除く円周部に形状又は口径の異なる多数の貫通穴が設けられている。しかしながら、刈払作業中に刈取られた雑草がこの貫通穴に進入して貫通穴が閉塞するため、刈払作業に支障をきたしていた。
【００１２】
刈払機用チップソーに本発明の請求項１にかかる巻込防止シートを貼着することにより、前記貫通穴が前記巻込防止シートで塞がれる。これにより、刈取られた雑草は、前記巻込防止シートの表面を滑走してチップソー表面から遠心力で振り落とされるので、雑草によるチップソー及び回転軸への巻付きを防止することができる。また、前記巻込防止シートは合成樹脂製であるため、軽量化が維持されると共に、石等にチップソー本体が衝突しても、金属音の発生が抑えられるので騒音を低減することができる。
【００１３】
本発明の請求項２にかかる巻込防止シートは、前記巻込防止シートの貼着面に接着剤が設けられていることを特徴としている。この巻込防止シートは、既存のチップソーに作業者等が貼着することをも想定しているため、貼着面に接着剤が設けられている。より具体的には、この接着剤の上に再剥離紙が貼付されており、作業者等がこの再剥離紙を剥がして、チップソー円周面の所定場所に貼着するように形成されている。このような構成とすれば、作業者等は簡単且つ正確に巻込防止シートをチップソーに貼着することができる。
【００１４】
本発明の請求項３にかかる巻込防止シートは、前記巻込防止シートが、前記基板の刈刃と回転軸を挿入するための中心穴を除く円周部に貼着されていることを特徴としている。この構成とすれば、作業者等は、巻付防止シートが貼着されたチップソーを使用すれば、雑草等のチップソーへの巻付や貫通穴の閉塞を防止することができ、効率的な刈取作業をすることができる。
【発明の効果】
【００１５】
本発明の巻込防止シートを用いることにより、刈取られた雑草は、前記巻込防止シートの表面を滑走してチップソー表面から遠心力で振り落とされるので、雑草のチップソー及び回転軸への巻付きを防止することができる。また、前記巻込防止シートは合成樹脂製であるため、軽量化が維持されると共に、石等にチップソー本体が衝接しても、金属音の発生が抑制されて騒音を低減することができる。また、前記巻込防止シートの貼着面には、接着剤の上に再剥離紙が貼着されており、作業者等がこの再剥離紙を剥がして、チップソーの所定場所に貼着するように形成されているので、作業者等は簡単且つ正確に巻込防止シートをチップソーの所定場所に貼着することができる。
【図面の簡単な説明】
【００１６】
【図１】本発明の実施形態の一例を示す巻込防止部材の平面図である。
【図２】本発明の実施形態の一例を示す巻込防止部材の底面図である。
【図３】本発明の巻込防止部材をチップソーに貼着した状態を示す平面図である。
【図４】図３のＡ−Ａ断面図である。
【発明を実施するための形態】
【００１７】
以下、本発明の巻込防止シートについて、図面に基づいて詳細に説明する。図１において、巻込防止シート１はチップソー１０を形成する基板の刈刃１１と中心穴１２を除く円周部に貼着されるものであり、合成樹脂シートでドーナツ状に形成されている。通常、刈払機用チップソーは外径２３０ｍｍと２５５ｍｍの２種類があるため、これに適合するように巻込防止シート１の外径及び内径が設定されている。巻込防止シート１の板厚は０．２ｍｍから２．０ｍｍを用いることができるが、望ましくは０．７ｍｍから１．０ｍｍである。板厚が０．２ｍｍ以下であると耐衝撃性が弱くなり、２．０ｍｍ以上としても耐衝撃性は変わらず、逆に全体重量が増加することになる。
【００１８】
合成樹脂シートは、殆どの熱可塑性合成樹脂および熱硬化性合成樹脂脂を使用することができるが、透明性、耐衝撃性、耐熱性及び難燃性に優れたものが望ましく、特にエンジニアリングプラスチックを用いることが望ましい。例えば、ポリアミド、ポリカーボネート、ポリアセタール、変性ポフェニレンエーテル、ポリプチレンテレフタレート、ポリエチレンサルファイド、ポリアリレート、ポリアラドイミド、ポリエーテルイミド、ポリエーテルエーテルケトン、ポリサルフォン、ポリエーテルサルフォン等が使用できる。なお、チップソー１０の円周面に設けられた軽量化のための貫通穴１３は装飾性も有しているので、巻込防止シート１に使用する合成樹脂シートは透明性を有することが望ましい。
【００１９】
図２に示すように、巻込防止シート１の接着面は接着剤２が設けられており、その上から再剥離紙が貼付されている。再剥離紙３は、チップソーの所定位置に容易且つ正確に貼付できるようにするため、複数片に分割されていることが望ましく、例えば、図２に示すように、ａ片、ｂ片、ｃ片に３分割されている。なお、再剥離紙は一体形又は４分割以上とすることも当然可能である。チップソーの円周面に巻込防止シートを貼付する手順は、以下の通りである。
【００２０】
巻込防止シート１の接着面全体をチップソー１１の所定位置に当接させて、ｃ片の任意位置を接着面の反対面から指等で保持したまま、ａ片を持上げてａ片の再剥離紙３を剥がし、ａ片の接着面をチップソー１０の所定位置に貼着する。次に、ｂ片をａ片と同様にチップソー１０の所定面に貼着する。次に、ｃ片から指等を離して、ｃ片を持上げてｃ片の再剥離紙３を剥がし、チップソー１０の所定位置に貼付すると、前記巻込防止シート１を簡単且つ正確にチップソー１０の所定位置に貼着することができる。
【００２１】
図３は、本発明の巻込防止シート１をチップソー１０に貼着した状態を示す平面図である。この巻込防止シート１は、市販されている殆どの刈払機用チップソーに貼着することができる。巻込防止シート１のチップソー１０への貼付は、巻込防止シート１又はチップソー１０に接着剤を塗布して貼着するか、図２に示す巻込防止シート１をチップソー１０に貼着することができる。このように、本発明の巻込防止シート１を貼着したチップソー１０を提供することにより、作業者等は効率的な刈払作業を行なうことが可能となる。
【００２２】
図４は図３のＢ−Ｂ断面図であるが、理解を容易とするため厚さを拡大表示している。
図４において、巻込防止シート１はチップソー１０の刈刃１１と中心穴１２を除く円周部に貼着するものであれば、その外径及び内径は任意に定めることができる。
【産業上の利用可能性】
【００２３】
本発明の巻込防止シートは、殆どの既存チップソーに貼着可能であるため、様々な場所で刈払作業を行なうときに用いるチップソーに貼付して使用することが可能である。
【符号の説明】
【００２４】
１  巻込防止シート
２  接着剤
３  再剥離紙
１０  チップソー
１１  貫通穴
１２  刈刃
１３  中心穴
【図１】
2014000050.tif 000003
【図２】
2014000050.tif 000004
【図３】
2014000050.tif 000005
【図４】
2014000050.tif 000006